(57)【特許請求の範囲】
【請求項１】
鉄製の支柱と、アルミ製の支柱カバーと、アルミ製の屋根とを備え、支柱は、見付面と見込面に接合部材が取付けてあり、屋根は、屋根構造材と屋根パネルとを有し、屋根構造材が接合部材に高力ボルトで取付けてあり、支柱カバーは、見付面カバーと見込面カバーとからなり、支柱及び支柱見付面の接合部材が支柱カバーで隠れており、支柱見込面の接合部材が屋根パネルに隠れていることを特徴とする簡易構造物。
【発明の詳細な説明】
【技術分野】
【０００１】
本発明は、バス停等に用いられる簡易構造物に関する。
【背景技術】
【０００２】
従来、駅や病院等の公共施設のバス停に用いられるシェルターとして、非特許文献１に開示されているオールアルミ製の片支持タイプのものがあった。このシェルターは、屋根の強度を確保するために、屋根を吊る斜材が支柱の上端から放射状に多数設けているため、意匠が複雑になっていた。また、支柱や梁などの構造材が全てアルミ製のため、屋根の柱からの張り出し長さが２ｍ程度に制限され、より大型の屋根を持ったシェルターが求められていた。
【先行技術文献】
【特許文献】
【０００３】
【非特許文献１】三協立山アルミ株式会社発行のカタログ「パブリックエクステリア  総合カタログ」（カタログＮｏ．ＳＴＸ０６４０Ａ  ＫＹ．１１．１２−２４３）、２０１１年１２月、ｐ．１８０−１８１
【発明の概要】
【発明が解決しようとする課題】
【０００４】
本発明は以上に述べた実情に鑑み、すっきりした意匠でも強度が確保できる簡易構造物の提供を目的とする。
【課題を解決するための手段】
【０００５】
上記の課題を達成するために請求項１記載の発明による簡易構造物は、鉄製の支柱と、アルミ製の支柱カバーと、アルミ製の屋根とを備え、支柱は、見付面と見込面に接合部材が取付けてあり、屋根は、屋根構造材と屋根パネルとを有し、屋根構造材が接合部材に高力ボルトで取付けてあり、支柱カバーは、見付面カバーと見込面カバーとからなり、支柱及び支柱見付面の接合部材が支柱カバーで隠れており、支柱見込面の接合部材が屋根パネルに隠れていることを特徴とする。
【発明の効果】
【０００６】
請求項１記載の発明による簡易構造物は、鉄製の支柱の見付面と見込面に接合部材を取付け、接合部材に屋根構造材を高力ボルトで取付けることで、すっきりした意匠としながら強度を確保できる。支柱及び支柱見付面の接合部材が支柱カバーで隠れており、支柱見込面の接合部材が屋根パネルに隠れていることで、意匠性・メンテナンス性が良い。支柱カバーを、見付面カバーと見込面カバーとに分割して構成したことで、支柱カバーの製作や取付けが容易である。
【図面の簡単な説明】
【０００７】
【図１】図１１のＡ−Ａ断面図である。
【図２】図１０のＢ−Ｂ断面図である。
【図３】図１と同じ位置における縦断面図であって、屋根パネル及び支柱カバーを取付ける前の状態を示す。
【図４】屋根パネル及び支柱カバーを取付ける前の状態の正面図である。
【図５】図１１のＣ−Ｃ断面図である。
【図６】図１１のＤ部を拡大して示す平面図である。
【図７】図１１のＥ−Ｅ断面図である。
【図８】腕木と前梁との結合具を示す斜視図である。
【図９】本発明の簡易構造物の第１実施形態を示す側面図である。
【図１０】第１実施形態の簡易構造物の正面図である。
【図１１】第１実施形態の簡易構造物の平面図である。
【図１２】本発明の簡易構造物の第２実施形態を示す側面図である。
【図１３】第２実施形態の簡易構造物の平面図である。
【図１４】図１３のＦ−Ｆ断面図である。
【図１５】図１４と同じ位置における縦断面図であって、屋根パネル及び支柱カバーを取付ける前の状態を示す。
【図１６】本発明の簡易構造物の第３実施形態を示す側面図である。
【図１７】同簡易構造物の屋根の支柱への取付部を拡大して示す縦断面図である。
【発明を実施するための形態】
【０００８】
以下、本発明の実施の形態を図面に基づいて説明する。図１〜１１は、本発明の簡易構造物の第１実施形態を示している。この簡易構造物は、駅や病院等の公共施設の前の広場に設置されるシェルターである。本簡易構造物は、図９〜１１に示すように、支柱１が間隔をおいて立設され、支柱１に屋根３が片持ち状に支持してある。屋根３は、図９に示すように、後ろ側に向かって下り勾配で傾斜しており、屋根３の前部が支柱１の上端部から１本の斜材１２で吊られている。屋根３は、支柱１から前方に約５．２ｍ、後方に約１．４ｍ張り出しており、屋根３の地面からの高さは約４．２ｍである。支柱１の間隔は約４ｍである。
【０００９】
支柱１は鉄製で、図２に示すように、前後方向が長い長方形断面の筒状に形成されている。支柱１の周囲は、アルミの押出形材で形成した支柱カバー２で覆われている。支柱カバー２は、支柱１の前後面を覆う円弧状の見付面カバー１０と、支柱１の側面を覆う見込面カバー１１とからなり、見付面カバー１０と見込面カバー１１は支柱１の前後面に取付けたＬ形断面のカバー取付材１３にネジ１４で固定してある。見付面カバー１０と見込面カバー１１との境界部には凹溝１５が形成され、凹溝１５にはシール剤１６を充填してカバー間の隙間をシールしている。さらに見付面カバー１０と見込面カバー１１は、それぞれ３つの部材に分割されており、各部材の端部は互いに係合してネジで固定され、且つ境界部に発泡ゴム１７を介在させて雨水の浸入を防いでいる。支柱カバー２は、図１に示すように、屋根３の上側と下側で分割されており、支柱カバー２と屋根３の上下面との隙間にはシール剤１６を充填してシールしてある。支柱カバー２上端の小口は、後ろ側が低くなるように傾斜しており、開口部をアルミ製の上端カバー１８で塞いである。支柱１の後面には雨樋１９が取付けられ、雨樋１９は支柱カバー２に内蔵されている。また、照明等のための配線も支柱カバー２に内蔵されている。
【００１０】
屋根３は、図１１に示すように、支柱１より前方と後方にのびる腕木６と、支柱１の側方にのびる梁７と、屋根前部に取付けた前梁２０と、屋根後部に取付けた後梁２１と、腕木６間に架設した野縁２２とで骨組が構成され、梁７と前梁２０間、梁７と後梁２１間に屋根パネル８，９を取付けている。屋根３の後部には雨樋２３が設けられ、雨樋２３に溜まる雨水は支柱１の後面に沿って取付けた雨樋１９にパイプ２４で導かれ、雨樋１９の下端部より排水される。屋根３の周囲には化粧枠２５が取付けてある。屋根３を構成する各部材は、アルミで形成されており、屋根３の厚みは１００ｍｍである。
【００１１】
腕木６は、図３，４に示すように、幅１００ｍｍ、高さ２００ｍｍの矩形断面の角筒状に形成されており、支柱１側の端部の中空部内の上面と下面とにナット２６が２つずつナットホルダー２７を介して保持してある。支柱１の前後の見付面１ａには、鉄製の接合板４が上下に間隔をあけて横向きに溶接してあり、接合板４間に腕木６の端部を差し入れ、上下から高力ボルト２８をナット２６に捩じ込むことで、腕木６が支柱１に固定されている。上下の接合板４は、図１，２に示すように、支柱カバー２で隠れる。腕木６は、上面が屋根パネル８と面一になるように配置され、腕木６の下半分が屋根３からはみ出している。
梁７は、図３，４に示すように、幅・高さとも１００ｍｍの正方形断面の筒状に形成され、梁７の端部には、中空部内の左右側面にナット２６が２つずつナットホルダー２７を介して保持してある。支柱１の左右の見込面１ｂには、鉄製の接合板５が前後に間隔をあけて縦向きに溶接してあり、接合板５間に梁７の端部を差し入れ、前後から高力ボルト２８をナット２６に捩じ込むことで、梁７が支柱１に固定されている。梁７は、図１，２に示すように、屋根３の厚み内にちょうど収まっており、接合板５は屋根パネル８，９で隠れている。
【００１２】
支柱１より前側にのびる腕木６の先端部には、図６〜８に示すように、アルミの鋳物で形成した結合具２９が取付けられ、この結合具２９により腕木６の小口を塞ぐと共に、結合具２９を介して腕木６を前梁２０と結合している。結合具２９は、図８に示すように、ブロック状の本体部２９ａに腕木６の中空部内に挿入してネジ止めされる腕木取付部２９ｂと、本体部２９ａの側面に上下方向に間隔をおいて突出した板状の前梁係合部２９ｃを有し、前梁係合部２９ｃを前梁２０の中空部内に挿入・係止し、図６に示すように、腕木６の先端と結合具２９の本体部２９ａとの間、前梁２０の端面と結合具２９の本体部２９ａとの間にそれぞれ５ｍｍ程度の隙間を設けることで、前梁２０と腕木６とを熱伸びを吸収し得る状態で結合している。この隙間は、シール剤１６を充填してシールしている。その上で図６に示すように、腕木６の側面と前梁２０の後面間に添わせてＬ形の接合板３０を渡し、ボルト・ナット３１で固定している。さらに、結合具２９の左右で分断された前梁２０の前面に添わせて接合板３２を渡し、ボルト・ナット３１で固定している。接合板３０，３２は、屋根３の厚み内に収まっているので、外部からは見えない。支柱１より後側にのびる腕木６の先端部と後梁２１との結合も、これと同じように行っている。
【００１３】
斜材１２は、図３，４に示すように、２本の鉄製のフラットバー３３にスペーサー３４を挟んだ構造となっている。支柱１の上端部前面には、鉄製の接合板３５が縦向きに溶接してあり、接合板３５を斜材１２のフラットバー３３間に挟み、高力ボルト２８を挿通してナット掛けすることで、斜材１２を支柱１に固定している。接合板３５は、図１に示すように、支柱カバー２で隠される。
腕木６の先端部上面には、図７に示すように、接合金具３６がボルト・ナット３１で固定してあり、接合金具３６には上面に接合板３６ａが溶接してあり、接合板３６ａを斜材１２のフラットバー３３間に挟み、高力ボルト２８を挿通してナット掛けすることで、斜材１２を腕木６に固定している。
【００１４】
屋根パネル８は、アルミの押出形材を用いたものであり、図５に示すように、屋根パネル８の一方の縁部には、野縁２２にネジ止めされる取付板部３７と、嵌合溝３８と、ガスケット取付部３９とが形成され、ガスケット取付部３９にガスケット４０が保持してある。取付板部３７には、集水溝４１ａが形成されている。屋根パネル８の他方の縁部には、ガスケット４０への当接部４２と、嵌合溝３８に嵌合する嵌合部４３を有している。嵌合部４３には、集水溝４１ｂが形成されている。屋根パネル８は、隣接する屋根パネル８の嵌合部４３を嵌合溝３８に嵌合させることで、左右方向に順次連結して設置される。隣接する屋根パネル８間にガスケット４０が介在しているため、屋根パネル８間から屋根内部に雨水が浸入することが防がれ、仮にガスケット４０を超えて雨水が浸入しても、嵌合部４３に形成された集水溝４１ｂにより雨水が止水され、さらに嵌合部４３の集水溝４１ｂから雨水が溢れても、取付板部３７に形成された集水溝４１ａによって雨水が止水される。すなわち屋根パネル８間は、ガスケット４０と２箇所の集水溝４１ａ，４１ｂによって３段階に止水されている。屋根パネル８は、屋根３の下面側にも同じように取付けてある。また、図５，６に示すように、屋根パネル８と腕木６、前梁２０、梁７、化粧枠２５との隙間は、シール剤１６を充填してシールしてある。
【００１５】
本簡易構造物の施工手順を簡単に説明する。まず、支柱１を所定の位置に立設する。次に、支柱１に溶接した接合板４，５に、腕木６、梁７を高力ボルト２８で固定する。次に、支柱１と腕木６間に斜材１２を取付ける。次に、前梁２０、後梁２１、野縁２２を取付ける。次に、屋根パネル８，９を取付ける。次に、屋根３の後部と支柱１の後面とに雨樋１９，２３を取付け、両雨樋をパイプ２４で連結する。次に、屋根３の周囲に化粧枠２５を取付ける。次に、支柱１の周囲に支柱カバー２を取付ける。最後に支柱カバー２と屋根３との隙間等にシール剤１６を充填してシールする。
【００１６】
以上に述べたように本簡易構造物は、鉄製の支柱１の見付面１ａと見込面１ｂに接合板４，５を取付け、接合板４，５に腕木６と梁７を高力ボルト２８で取付けることで、すっきりした意匠としながら強度を確保できる。支柱１は、アルミ製の支柱カバー２で覆われており、接合板４，５も支柱カバー２と屋根パネル８，９に隠れているので、支柱１や接合板４，５が錆びたときに塗装を施したりする必要がなく、意匠性・メンテナンス性が良い。梁７を固定するための接合板５を、支柱カバー２ではなく屋根パネル８，９で隠したことで、支柱カバー２を含めた支柱全体の見付寸法（横幅）を細くすることができる。支柱カバー２を、見付面カバー１０と見込面カバー１１とに分割して構成したことで、アールの付いたスタイリッシュな支柱カバー２が押出形材から容易に製作でき、さらに見付面カバー１０が図２に示すように幅方向に３つに分割されていることで、斜材１２や腕木６を逃がすための切欠部４６（図５参照）を形成することも容易に行え、また支柱１に屋根３を取付けた後に支柱１の周囲から取付けできるので取付けも容易である。本簡易構造物は、鉄製の支柱１と斜材１２を用いたことで、オールアルミ製のものと比較して、屋根３の支柱１からの張出し量を大きくし、屋根３の高さも高くすることができ、大型化に対応できる。梁７を固定するための接合板５を、支柱１の見込面１ｂに横に並べて設けたことで、接合板５と高力ボルト２８が梁７の上下に飛び出さず、屋根３の厚みを薄くできる。支柱カバー２に雨樋１９を内蔵したので、意匠性がさらに向上している。斜材１２は、鉄製の２本のフラットバー３３の間にスペーサー３４を挟んだ構造にしたことで、強度が高められると共に、特別な加工をすることなく支柱１と腕木６に容易に固定できる。屋根パネル８間にガスケット４０と、パネル同士の嵌合部に隣接して集水溝４１ａ，４１ｂが設けてあるため、屋根パネル８間から屋根内部への雨水の浸入を確実に防止できる。
【００１７】
図１２〜１５は、本発明の簡易構造物の第２実施形態を示している。本簡易構造物は、バス停用のシェルターであって、車道側に張り出す屋根３ａと歩道側に張り出す屋根３ｂが上下２段に設けてある。車道側の屋根３ａは、バスの高さに合わせて高い位置に設置され、歩道側の屋根３ｂは歩行者の高さに合わせてそれよりも低い位置に設置されている。上段の屋根３ａは、歩道側に向かって下り勾配で傾斜しており、下段の屋根３ｂは車道側に向かって下り勾配で傾斜している。
【００１８】
本実施形態の簡易構造物も、第１実施形態と同様に鉄製の支柱１を用い、支柱１はアルミ製の支柱カバー２で覆ってある。また、支柱カバー２内に雨樋１９を内蔵している。屋根３ａ，３ｂの構造も第１実施形態のものとほぼ同様であり、図１４，１５に示すように、支柱１の見付面１ａに溶接した接合板４に腕木６が高力ボルト２８で固定され、支柱１の見込面１ｂに溶接した接合板５に梁７が高力ボルト２８で固定されている。各接合板４，５は、支柱カバー２又は屋根パネル８で隠れている。
上段の屋根３ａは後側（歩道側）に、下段の屋根３ｂは前側（車道側）に雨樋２３を有しており、支柱カバー２内に内蔵した雨樋１９は、上部に傾斜した連結部４４を有し、連結部４４は支柱１を前後に貫通して上段の屋根３ａの雨樋２３と下段の屋根３ｂの雨樋２３とを連結している。
【００１９】
図１６，１７は、本発明の簡易構造物の第３実施形態を示している。本簡易構造物もバス停等に用いられるシェルターであって、屋根３が支柱１の上に載るような形で片持ち状に支持してある。
本実施形態の簡易構造物も、第１・第２実施形態と同様に鉄製の支柱１を用い、支柱１の周囲はアルミ製の支柱カバー２で覆ってある。また、支柱カバー２内に雨樋１９を内蔵している。屋根３の構造も第１・第２実施形態のものとほぼ同様であり、図１７に示すように、支柱１の見付面１ａに溶接した接合板４に腕木６が高力ボルト２８で固定され、支柱１の見込面１ｂに溶接した接合板５に梁７が高力ボルト２８で固定されている。支柱１の上端部は、アルミで形成した浅い箱形の支柱上部カバー４５を取付けて隠してある。腕木取付用の接合板４は、支柱上部カバー４５と支柱カバー２とで隠れ、梁取付用の接合板５は、屋根パネル８で隠れている。
【００２０】
以上に述べたように本発明の簡易構造物は、支柱１、支柱カバー２、屋根３を構成する腕木６、梁７等の各部材を共通化しながら、屋根３の大きさや設置態様にバリエーションを持たせることができ、これらを適宜組み合わせて設置することで、バス、車、自転車、多くの歩行者等が行き交う場所等に、用途に合わせて自由な空間コーディネートが可能である。
【００２１】
本発明は以上に述べた実施形態に限定されない。支柱１、支柱カバー２、屋根パネル８等の各部材の形状は、適宜変更することができる。支柱１に取付けられる接合部材（接合板４，５）は、単純な板状の形のものに限定されず、例えばＬ形断面の部材やコ字形断面の部材で形成することもでき、また取付け方は溶接に限らずボルト等で支柱１に固定してもよい。屋根３は、一部に鉄や樹脂等が使われていてもよい。支柱１の配置や屋根３の形態は適宜変更することができ、例えば屋根３を支柱１に両持ち支持することもできる。実施形態のものについては前・後を特定しているが、これは便宜上特定したものであって、特にどちらが必ず正面になるといったことはなく、見付面と見込面が逆になってもよい。本発明はあらゆる簡易構造物に適用することができ、公共の場所に設置されるシェルターに限らず、一般向けのカーポートや物置等とすることもできる。
【符号の説明】
【００２２】
１  支柱
２  支柱カバー
３，３ａ，３ｂ  屋根
４，５  接合板（接合部材）
６  腕木（屋根構造材）
７  梁（屋根構造材）
８，９  屋根パネル
１０  見付面カバー
１１  見込面カバー
２８  高力ボルト
【図１】
0005889672.tif 000002
【図２】
0005889672.tif 000003
【図３】
0005889672.tif 000004
【図４】
0005889672.tif 000005
【図５】
0005889672.tif 000006
【図６】
0005889672.tif 000007
【図７】
0005889672.tif 000008
【図８】
0005889672.tif 000009
【図９】
0005889672.tif 000010
【図１０】
0005889672.tif 000011
【図１１】
0005889672.tif 000012
【図１２】
0005889672.tif 000013
【図１３】
0005889672.tif 000014
【図１４】
0005889672.tif 000015
【図１５】
0005889672.tif 000016
【図１６】
0005889672.tif 000017
【図１７】
0005889672.tif 000018